(57)【要約】【課題】  ウォブル信号を検出するウォブル信号検出回路を削減してウォブル信号を用いることなく、簡単な回路構成で、ＰＬＬ回路のクロック信号をＤＶＤ−ＲＡＭの光ディスクの回転速度に同期させることができるようにする。【解決手段】  光ピックアップによりＤＶＤ−ＲＡＭから読み出されたアナログ信号の情報データのＲＦ信号をデジタル信号に変換して、デジタル信号に変換された情報データのＲＦ信号の位相差を検出してその位相差信号を出力し、検出された情報データのＲＦ信号の位相差信号の中のＣＡＰＡ信号を検出して、検出されたＣＡＰＡ信号の周波数／位相と基準クロック信号の周波数／位相とを比較し、その比較結果に応じてＣＡＰＡ信号に同期したクロック信号を発生するようにする。【選択図】        図１
2007080331.tif 000002
【特許請求の範囲】
【請求項１】
光ディスクの回転速度に同期したＰＬＬ回路のクロック信号を発生させて、光ディスクに記録された情報データを再生するディスク装置であって、
光ピックアップによりＤＶＤ−ＲＡＭから読み出されたアナログ信号の情報データのＲＦ信号をデジタル信号に変換するＡＤ変換手段と、前記ＡＤ変換手段によりデジタル信号に変換された情報データのＲＦ信号の周波数特性を補正して、情報データのＲＦ信号の位相差を検出してその位相差信号を出力する位相差検出手段と、前記位相差検出手段により検出された情報データのＲＦ信号の位相差信号の所定の高域周波数成分を遮断して、情報データのＲＦ信号の位相差信号の中のＣＡＰＡ信号を検出するＣＡＰＡ信号検出手段と、前記ＣＡＰＡ信号検出手段により検出されたＣＡＰＡ信号の周波数／位相を所定の基準クロック信号の周波数／位相と比較する周波数／位相比較手段と、前記周波数／位相比較手段により比較されたＣＡＰＡ信号の周波数／位相の比較結果に基づく電圧に応じてＣＡＰＡ信号に同期したクロック信号を発生するクロック信号発生手段とを備えたことを特徴とするディスク装置。
【請求項２】
光ディスクの回転速度に同期したＰＬＬ回路のクロック信号を発生させて、光ディスクに記録された情報データを再生するディスク装置であって、
光ピックアップによりＤＶＤ−ＲＡＭから読み出されたアナログ信号の情報データのＲＦ信号をデジタル信号に変換するＡＤ変換手段と、前記ＡＤ変換手段によりデジタル信号に変換された情報データのＲＦ信号を検出してその位相差信号を出力する位相差検出手段と、前記位相差検出手段により検出された情報データのＲＦ信号の位相差信号の中のＣＡＰＡ信号を検出するＣＡＰＡ信号検出手段と、前記ＣＡＰＡ信号検出手段により検出されたＣＡＰＡ信号の周波数／位相を所定の基準クロック信号の周波数／位相と比較する周波数／位相比較手段と、前記周波数／位相比較手段の比較結果に応じてＣＡＰＡ信号に同期したクロック信号を発生するクロック信号発生手段とを備えたことを特徴とするディスク装置。
【請求項３】
前記位相差検出手段は、前記ＡＤ変換手段によりデジタル信号に変換された情報データのＲＦ信号の周波数特性を補正して、情報データのＲＦ信号の位相差を検出してその位相差信号を出力する位相差検出手段であることを特徴とする請求項２記載のディスク装置。
【請求項４】
前記ＣＡＰＡ信号検出手段は、前記位相差検出手段により検出された情報データのＲＦ信号の位相差信号の所定の高域周波数成分を遮断して、情報データのＲＦ信号の位相差信号の中のＣＡＰＡ信号を検出するＣＡＰＡ信号検出手段であることを特徴とする請求項２記載のディスク装置。
【請求項５】
前記クロック信号発生手段は、前記周波数／位相比較手段により比較されたＣＡＰＡ信号の周波数／位相の比較結果に基づく電圧に応じてＣＡＰＡ信号に同期したクロック信号を発生するクロック信号発生手段であることを特徴とする請求項２記載のディスク装置。
【発明の詳細な説明】
【技術分野】
【０００１】
本発明は、ＤＶＤ（Ｄｉｇｉｔａｌ  Ｖｅｒｓａｔｉｌｅ  Ｄｉｓｃ）等の光ディスクに記録された情報データを再生するディスク装置に係り、特に、簡単な回路構成で、ＤＶＤ−ＲＡＭ（ＤＶＤ−Ｒａｎｄｏｍ  Ａｃｃｅｓｓ  Ｍｅｍｏｒｙ）の光ディスクの回転速度に同期したクロック信号を発生させることができるディスク装置に関する。
【背景技術】
【０００２】
従来、ＤＶＤ−ＲＡＭに記録された情報データを再生する際、ＤＶＤ−ＲＡＭのデータ記録エリアに設けられているウォブル状のグルーブ、ランドの周期的なウォブルを光ピックアップにより読み出してウォブル信号を検出し、ＰＬＬ（Ｐｈａｓｅ  Ｌｏｃｋｅｄ  Ｌｏｏｐ）回路のクロック信号をウォブル信号に同期させるようにしている。
図２は従来のディスク装置の構成を示すブロック図である。図２において、５０はディスク装置であり、５１は光ディスクであり、５２は光ピックアップであり、５３はスピンドルモータであり、５４はモータ駆動ＩＣ（Ｉｎｔｅｇｒａｔｅｄ  Ｃｉｒｃｕｉｔ）であり、５５はディスクサーボ回路である。また、６０はリードチャンネルブロックであり、リードチャンネルブロックは、ＡＧＣ（Ａｕｔｏｍａｔｉｃ  Ｇａｉｎ  Ｃｏｎｔｒｏｌ）回路６１、ＡＤ（Ａｎａｌｏｇ−Ｄｉｇｉｔａｌ）変換回路６２、デジタルイコライザ６３、２値化回路６４で構成されている。また、７０はＰＬＬブロックであり、ＰＬＬブロック７０は、帯域通過フィルタ７１、ウォブル信号検出回路７２、周波数／位相比較回路７３、ＶＣＯ（Ｖｏｌｔａｇｅ  Ｃｏｎｔｒｏｌｌｅｄ  Ｏｓｃｉｌｌａｔｏｒ）７４、クロック制御回路７５で構成されている。また、８１はＡＤ変換回路であり、８２はデジタルイコライザであり、８３は位相差検出回路であり、８４は低域通過フィルタであり、８５はＣＡＰＡ（Ｃｏｍｐｌｉｍｅｎｔａｒｙ  Ａｌｌｏｃａｔｅｄ  Ｐｉｔ  Ａｄｄｒｅｓｓ）信号検出回路である。
光ピックアップ５２により光ディスク５１のグルーブ、ランドのウォブル信号が読み出されて、読み出されたアナログ信号のウォブル信号がＡＤ変換回路８１によりデジタル信号に変換され、デジタル信号に変換されたウォブル信号の低域周波数成分と高域周波数成分とが帯域通過フィルタ７１により遮断されて、帯域通過フィルタ７１を通過したウォブル信号がウォブル信号検出回路７２により検出され、周波数／位相比較回路７１によりウォブル信号の周波数／位相が基準クロック信号の周波数／位相と比較されて、その比較結果に基づく電圧に応じてＶＣＯ７２によりクロック信号が発振され、ＶＣＯ４２により発振されたクロック信号がクロック制御回路７３により制御されて、光ディスク５１から読み出されたウォブル信号に同期したクロック信号が生成されるようになっている。しかし、ＰＬＬ回路のクロック信号をウォブル信号に同期させるためには、ウォブル信号を検出するウォブル信号検出回路が必要であり、ディスク装置の製造コストを低減することができないという問題点があった。
背景技術としては、光ピックアップにより読み出されたＲＦ信号から生成されたＲＦＤＩＦ信号のＣＡＰＡ部分の信号をスライスするスライスレベルを設定して検出し、更に２値化して、ＣＡＰＡ部分の読み取り状態に応じてスライスレベルを切り換えるようにしたものがあった（例えば、特許文献１参照）。
また、ウォブル信号とクロック信号との位相差に応じてクロック信号を生成して、ＰＬＬ回路のクロック信号をウォブル信号に同期させて出力し、ウォブル信号の中のアドレス情報が含まれる期間を検出して、ＰＬＬ回路のクロック信号をロックさせるようにしたものがあった（例えば、特許文献２参照）。
また、プリアンプル部の先頭のフレーム予告信号を第１のカウンタにプリセットして、プリアンプル部のビット同期用信号をＰＬＬ回路に供給してクロック信号を第２のカウンタに入力し、第２のカウンタのキャリ出力を分周して第１のカウンタに入力し、第１のカウンタのキャリ出力を有効なデータの位置を示す同期信号として取り出すようにしたものがあった（例えば、特許文献３参照）。
【特許文献１】特開２００４−３５５７７４号公報
【特許文献２】特開２００４−２５３０５７号公報
【特許文献３】特開昭６１−２７１６６９号公報
【発明の開示】
【発明が解決しようとする課題】
【０００３】
しかしながら、背景技術で述べたもののうち最初のものにおいては、光ピックアップにより読み出されたＲＦ信号から生成されたＲＦＤＩＦ信号のＣＡＰＡ部分の信号をスライスするスライスレベルを設定して検出し、更に２値化して、ＣＡＰＡ部分の読み取り状態に応じてスライスレベルを切り換えることができたが、光ディスクの再生時に振動等によりウォブル信号が部分的に大きく検知された場合に、ＲＦＤＩＦ信号のＣＡＰＡ部分をスライスするスライスレベルを切り換えてＣＡＰＡを検出するようにしたものであって、光ディスクの回転速度に同期させてクロック信号を発生させるようにしたものではなかった。
また、次のものにおいては、ウォブル信号とクロック信号との位相差に応じてクロック信号を生成して、ＰＬＬ回路のクロック信号をウォブル信号に同期させて出力し、ウォブル信号の中のアドレス情報が含まれる期間を検出して、ＰＬＬ回路のクロック信号をロックさせることができたが、ＰＬＬ回路のクロック信号をウォブル信号に同期させるようにしたものであって、上記問題点を解決するようにしたものではなかった。
また、更にその次のものにおいては、プリアンプル部の先頭のフレーム予告信号を第１のカウンタにプリセットして、プリアンプル部のビット同期用信号をＰＬＬ回路に供給してクロック信号を第２のカウンタに入力し、第２のカウンタのキャリ出力を分周して第１のカウンタに入力し、第１のカウンタのキャリ出力を有効なデータの位置を示す同期信号として取り出すことができたが、ビデオディスクのデジタルデータのプリアンプル部の先頭のフレーム予告信号を検出して同期信号を生成し、フレームの先頭の同期信号が得られない場合に最初のフレームから同期信号を生成するようにしたものであって、光ディスクの回転速度に同期させてクロック信号を発生させるようにしたものではなかった。
本発明は、背景技術の有するこのような問題点に鑑みてなされたものであり、その目的とするところは、ウォブル信号を検出するウォブル信号検出回路を削減してウォブル信号を用いることなく、簡単な回路構成で、ＰＬＬ回路のクロック信号をＤＶＤ−ＲＡＭの光ディスクの回転速度に同期させることができるディスク装置を提供しようとするものである。
【課題を解決するための手段】
【０００４】
上記目的を達成するため本発明においては、光ディスクの回転速度に同期したＰＬＬ回路のクロック信号を発生させて、光ディスクに記録された情報データを再生するディスク装置であって、光ピックアップによりＤＶＤ−ＲＡＭから読み出されたアナログ信号の情報データのＲＦ信号をデジタル信号に変換するＡＤ変換手段と、前記ＡＤ変換手段によりデジタル信号に変換された情報データのＲＦ信号を検出してその位相差信号を出力する位相差検出手段と、前記位相差検出手段により検出された情報データのＲＦ信号の位相差信号の中のＣＡＰＡ信号を検出するＣＡＰＡ信号検出手段と、前記ＣＡＰＡ信号検出手段により検出されたＣＡＰＡ信号の周波数／位相を所定の基準クロック信号の周波数／位相と比較する周波数／位相比較手段と、前記周波数／位相比較手段の比較結果に応じてＣＡＰＡ信号に同期したクロック信号を発生するクロック信号発生手段とを備える。
【０００５】
前記位相差検出手段は、前記ＡＤ変換手段によりデジタル信号に変換された情報データのＲＦ信号の周波数特性を補正して、情報データのＲＦ信号の位相差を検出してその位相差信号を出力するようにするとよい。
前記ＣＡＰＡ信号検出手段は、前記位相差検出手段により検出された情報データのＲＦ信号の位相差信号の所定の高域周波数成分を遮断して、情報データのＲＦ信号の位相差信号の中のＣＡＰＡ信号を検出するようにするとよい。
前記クロック信号発生手段は、前記周波数／位相比較手段により比較されたＣＡＰＡ信号の周波数／位相の比較結果に基づく電圧に応じてＣＡＰＡ信号に同期したクロック信号を発生するようにするとよい。
これらの手段により、ウォブル信号を検出するウォブル信号検出回路を削減してウォブル信号を用いることなく、簡単な回路構成で、ＰＬＬ回路のクロック信号をＤＶＤ−ＲＡＭの光ディスクの回転速度に同期させることができる。
【発明の効果】
【０００６】
請求項１記載の発明に係るディスク装置によれば、光ピックアップによりＤＶＤ−ＲＡＭから読み出されたアナログ信号の情報データのＲＦ信号をデジタル信号に変換し、デジタル信号に変換された情報データのＲＦ信号の周波数特性を補正して、情報データのＲＦ信号の位相差を検出してその位相差信号を出力し、検出された情報データのＲＦ信号の位相差信号の所定の高域周波数成分を遮断して、情報データのＲＦ信号の位相差信号の中のＣＡＰＡ信号を検出し、検出されたＣＡＰＡ信号の周波数／位相と基準クロック信号の周波数／位相とを比較して、比較されたＣＡＰＡ信号の周波数／位相の比較結果に基づく電圧に応じてＣＡＰＡ信号に同期したクロック信号を発生するようにしているので、ウォブル信号を検出するウォブル信号検出回路を削減してウォブル信号を用いることなく、ＣＡＰＡ信号に同期したＰＬＬ回路のクロック信号を発生させることができ、ＰＬＬ回路のクロック信号をＤＶＤ−ＲＡＭの光ディスクの回転速度に同期させることができる。
請求項２記載の発明に係るディスク装置によれば、光ピックアップによりＤＶＤ−ＲＡＭから読み出されたアナログ信号の情報データのＲＦ信号をデジタル信号に変換して、デジタル信号に変換された情報データのＲＦ信号の位相差を検出してその位相差信号を出力し、検出された情報データのＲＦ信号の位相差信号の中のＣＡＰＡ信号を検出して、検出されたＣＡＰＡ信号の周波数／位相と基準クロック信号の周波数／位相とを比較し、その比較結果に応じてＣＡＰＡ信号に同期したクロック信号を発生するようにしているので、ウォブル信号を検出するウォブル信号検出回路を削減してウォブル信号を用いることなく、ＣＡＰＡ信号に同期したＰＬＬ回路のクロック信号を発生させることができ、ＰＬＬ回路のクロック信号をＤＶＤ−ＲＡＭの光ディスクの回転速度に同期させることができる。
請求項３記載の発明に係るディスク装置によれば、デジタル信号に変換された情報データのＲＦ信号の周波数特性を補正して、情報データのＲＦ信号の位相差を検出してその位相差信号を出力するようにしているので、デジタル信号に変換された情報データのＲＦ信号の周波数特性を補正して、情報データのＲＦ信号の位相差を容易に検出することができる。
請求項４記載の発明に係るディスク装置によれば、検出された情報データのＲＦ信号の位相差信号の所定の高域周波数成分を遮断して、情報データのＲＦ信号の位相差信号の中のＣＡＰＡ信号を検出するようにしているので、情報データのＲＦ信号の位相差信号の高域周波数成分を遮断して、情報データのＲＦ信号の位相差信号の中のＣＡＰＡ信号を容易に検出することができる。
請求項５記載の発明に係るディスク装置によれば、ＣＡＰＡ信号の周波数／位相の比較結果に基づく電圧に応じてＣＡＰＡ信号に同期したクロック信号を発生するようにしているので、ウォブル信号を検出するウォブル信号検出回路を削減してウォブル信号を用いることなく、ＣＡＰＡ信号に同期したＰＬＬ回路のクロック信号を発生させることができる。
【発明を実施するための最良の形態】
【０００７】
以下、適宜図面を参照しながら本発明を実施するための最良の形態を詳述する。図１は本発明の一実施例のディスク装置の構成を示すブロック図である。
まず、図１の本発明の一実施例のディスク装置の構成を示すブロック図を基に説明する。
ディスク装置１０は、光ディスク１１の記録面にレーザ光を照射してその反射光を検出し、光ディスク１１に記録されている情報データを読み出す光ピックアップ１２と、光ディスク１１を回転させるスピンドルモータ１３と、スピンドルモータ１３を駆動するモータ駆動ＩＣ１４と、モータ駆動ＩＣ１４をサーボ制御するディスクサーボ回路１５と、光ピックアップ１２により光ディスク１１から読み出された情報データのＲＦ信号を処理するリードチャンネルブロック２０と、光ディスク１１の回転速度に同期したクロック信号を発生するＰＬＬブロック３０と、光ピックアップ１２により光ディスク１１から読み出されたアナログ信号の情報データのＲＦ信号をデジタル信号に変換するＡＤ変換回路４１と、ＡＤ変換回路４１によりデジタル信号に変換された情報データのＲＦ信号の周波数特性を補正するデジタルイコライザ４２と、デジタルイコライザ４２により周波数特性が補正された情報データのＲＦ信号の位相差を検出してその位相差信号を出力する位相差検出回路４３と、位相差検出回路４３から出力された情報データのＲＦ信号の位相差信号の高域周波数成分を遮断して所定の低域周波数成分を通過させる低域通過フィルタ４４と、低域通過フィルタ４４を通過した低域周波数成分の情報データのＲＦ信号の位相差信号の中のＣＡＰＡ信号を検出するＣＡＰＡ信号検出回路４５とで構成されている。
リードチャンネルブロック２０は、光ピックアップ１２により光ディスク１１から読み出された情報データのＲＦ信号の信号レベルを自動調整するＡＧＣ回路２１と、ＡＧＣ回路２１から出力されたアナログ信号の情報データのＲＦ信号をデジタル信号に変換するＡＤ変換回路２２と、ＡＤ変換回路２２によりデジタル信号に変換された情報データのＲＦ信号の周波数特性を補正するデジタルイコライザ２３と、デジタルイコライザ２３により周波数特性が補正された情報データのＲＦ信号を所定のスライスレベルに基づいて２値化する２値化回路２４とで構成されている。
また、ＰＬＬブロック３０は、ＣＡＰＡ信号検出回路４５により検出されたＣＡＰＡ信号の周波数／位相を基準クロック信号の周波数／位相と比較する周波数／位相比較回路３１と、周波数／位相比較回路３１により比較されたＣＡＰＡ信号の周波数／位相の比較結果に基づく電圧に応じてＣＡＰＡ信号に同期したクロック信号を発振するＶＣＯ３２と、ＶＣＯ３２により発振されたクロック信号の出力を制御するクロック制御回路３３とで構成されている。
以上のように構成されたディスク装置について、以下その動作について説明する。
リモコン装置（図示せず）等のキー操作によりＤＶＤ−ＲＡＭの光ディスク１１に記録された情報データの再生が指令されると、ディスクサーボ回路１５によりモータ駆動ＩＣ１４が駆動され、スピンドルモータ１３を回転させて、光ディスク１１を所定の回転速度で回転させ、光ピックアップ１２により光ディスク１１に記録された情報データが読み出されて、光ディスク１１から読み出された情報データのＲＦ信号がリードチャンネルブロック２０のＡＧＣ回路２１とＡＤ変換回路４１とに送出される。
リードチャンネルブロック２０に入力された情報データのＲＦ信号は、ＡＣＧ回路２１によりその振幅レベルが自動調整され、ＡＤ変換回路２２によりアナログ信号の情報データのＲＦ信号がデジタル信号に変換されて、デジタルイコライザ２３によりデジタル信号に変換された情報データのＲＦ信号の周波数特性が補正され、２値化回路２４により所定のスライスレベルに基づいて情報データのＲＦ信号が２値化されて、ディスクサーボ回路１５と情報データを再生する復調／誤り訂正回路、デコーダ、エンコーダ等で構成された信号再生ブロック（図示せず）とに送出される。
また、光ディスク１１から読み出された情報データのＲＦ信号は、ＡＤ変換回路４１によりアナログ信号の情報データのＲＦ信号がデジタル信号に変換され、デジタルイコライザ４２によりデジタル信号に変換された情報データのＲＦ信号の周波数特性が補正されて、位相差検出回路４３により情報データのＲＦ信号の位相差が検出されてその位相差信号が出力され、検出された情報データのＲＦ信号の位相差信号の所定の高域周波数成分が低域通過フィルタ４４により遮断されて、低域通過フィルタ４４を通過した所定の低域周波数成分の情報データのＲＦ信号の位相差信号の中のＣＡＰＡ信号がＣＡＰＡ信号検出回路４５により検出され、ＰＬＬブロック３０の周波数／位相比較回路３１に送出される。
ＰＬＬブロック３０に入力されたＣＡＰＡ信号は、周波数／位相比較回路３１によりＣＡＰＡ信号の周波数／位相が基準クロック信号の周波数／位相と比較され、周波数／位相比較回路３１により比較されたＣＡＰＡ信号の周波数／位相の比較結果に基づく電圧に応じてＶＣＯ３２の発振が制御されて、ＶＣＯ３２によりＣＡＰＡ信号に同期したクロック信号が発生され、クロック制御回路３３により制御されてＣＡＰＡ信号に同期したクロック信号がリードチャンネルブロック２０のＡＤ変換回路２２に送出されて、ＤＶＤ−ＲＡＭの光ディスク１１の回転速度に同期したクロック信号により光ディスク１１から読み出されたアナログ信号の情報データのＲＦ信号がデジタル信号に変換され、ＡＤ変換回路２２によりデジタル信号に変換された情報データのＲＦ信号がデジタルイコライザ２３により所定の周波数特性に補正され、デジタルイコライザ２３により所定の周波数特性に補正された情報データのＲＦ信号が２値化回路２４により所定のスライスレベルに基づいて２値化されて、情報データのＲＦ信号を復号化して情報データを再生する復調／誤り訂正回路、デコーダ、エンコーダ等で構成された信号再生ブロック（図示せず）に送出されてＤＶＤ−ＲＡＭの光ディスク１１に記録された情報データが再生される。
これにより、ウォブル信号を検出するウォブル信号検出回路を削減してウォブル信号を用いることなく、ＣＡＰＡ信号に同期したＰＬＬ回路のクロック信号を発生させることができ、ＰＬＬ回路のクロック信号をＤＶＤ−ＲＡＭの光ディスクの回転速度に同期させて、光ディスクに記録された情報データを再生することができる。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００８】
【図１】本発明の一実施例のディスク装置の構成を示すブロック図である。
【図２】従来のディスク装置の構成を示すブロック図である。
【符号の説明】
【０００９】
１０  ディスク装置
１１  光ディスク
１２  光ピックアップ
１３  スピンドルモータ
１４  モータ駆動ＩＣ
１５  ディスクサーボ回路
２０  リードチャンネルブロック
２１  ＡＧＣ回路
２２  ＡＤ変換回路
２３  デジタルイコライザ
２４  ２値化回路
３０  ＰＬＬブロック
３１  周波数／位相比較回路
３２  ＶＣＯ
３３  クロック制御回路
４１  ＡＤ変換回路
４２  デジタルイコライザ
４３  位相差検出回路
４４  低域通過フィルタ
４５  ＣＡＰＡ信号検出回路
【図１】
2007080331.tif 000003
【図２】
2007080331.tif 000004